(57)【要約】【課題】簡易な構造で、音域の広い音、特に重低音を容易かつ確実に再生できるスピーカー装置を提供すること。【解決手段】スピーカー装置５は、密閉されたエンクロージャー（筐体）６と、エンクロージャー６に設けられた１つのスピーカーユニット７と、エンクロージャー６内を２つの空間（第１内部空間９１、第２内部空間９２）に区画するように設けられた１つの区画部８と、を備えている。区画部８には、１つの貫通孔８２が設けられている。【選択図】図１１
2019103124.tif 000002
【特許請求の範囲】
【請求項１】
開口部を有する筐体と、
前記筐体に設けられたスピーカーユニットと、
前記筐体に設けられたダクトと、を備え、
前記ダクトは、内部が中空の球欠状又は楕円体球欠状のダクト本体部を有し、
前記ダクト本体部の頂部には、貫通孔が設けられている、スピーカー装置。
【請求項２】
前記ダクトは、前記筐体内を区画するように設けられている又は前記筐体の前記開口部に設けられている、請求項１に記載のスピーカー装置。
【請求項３】
前記ダクト本体部は、内部が中空の半球状である、請求項１又は２に記載のスピーカー装置。
【請求項４】
開口部を有する筐体と、前記筐体に設けられたスピーカーユニットと、を備えるスピーカー装置に用いられ、前記筐体に設けられるダクトであって、
内部が中空の球欠状又は楕円体球欠状のダクト本体部を有し、
前記ダクト本体部の頂部には、貫通孔が設けられている、スピーカー装置用ダクト。
【請求項５】
前記ダクトは、前記筐体内を区画するように設けられる又は前記筐体の前記開口部に設けられる、請求項４に記載のスピーカー装置用ダクト。
【請求項６】
前記ダクト本体部は、内部が中空の半球状である、請求項４又は５に記載のスピーカー装置用ダクト。
【請求項７】
密閉された筐体と、
前記筐体に設けられた少なくとも１つのスピーカーユニットと、
前記筐体内を区画するように設けられた少なくとも１つの区画部と、を備え、
前記区画部には、少なくとも１つの貫通孔が設けられている、スピーカー装置。
【請求項８】
前記筐体内を２つの空間に区画するように設けられた１つの前記区画部を備えている、請求項７に記載のスピーカー装置。
【請求項９】
前記区画部は、内部が中空の球欠状又は楕円体球欠状の本体部を有する、請求項７又は８に記載のスピーカー装置。
【請求項１０】
前記本体部の頂部には、前記貫通孔が設けられている、請求項９に記載のスピーカー装置。
【請求項１１】
前記区画部は、板状である、請求項７又は８に記載のスピーカー装置。
【請求項１２】
前記区画部の厚みは、２ｍｍ以上である、請求項７〜１１のいずれか１項に記載のスピーカー装置。
【請求項１３】
前記貫通孔の内径は、７〜１３ｍｍである、請求項７〜１２のいずれか１項に記載のスピーカー装置。
【発明の詳細な説明】
【技術分野】
【０００１】
本発明は、スピーカー装置に関する。
【背景技術】
【０００２】
従来、各種のスピーカー装置が知られている。スピーカー装置は、全ての音域を１つのスピーカーユニットでまかなうフルレンジスピーカー装置が理想的であるが、全ての音域の音、特に重低音を精度良く再生することは容易ではない。
【０００３】
例えば、広い音域の音を再生するために、音域を分割して複数のスピーカーユニット（ウーハー、ツイーター等）を備えた、２ＷＡＹや３ＷＡＹタイプのスピーカー装置が知られている。しかしながら、２ＷＡＹや３ＷＡＹタイプのスピーカー装置は、スピーカーユニット同士の音が干渉しあって音が歪み、音像がぼやけてしまう。
【０００４】
一方で、重低音を再生する方法として、開口部を有するエンクロージャー（筐体）に筒状のダクトを設け、ヘルムホルツ共鳴原理に基づいてスピーカーユニットの背面から発せられた低音を共振・増強する、バスレフ型のスピーカー装置が知られている（例えば、特許文献１参照）。
【先行技術文献】
【特許文献】
【０００５】
【特許文献１】特開２０１４−１８３３４１号公報
【発明の概要】
【発明が解決しようとする課題】
【０００６】
しかしながら、バスレフ型のスピーカー装置は、低音域が少し強調されるものの、共振周波数よりもさらに低い低音はほとんど出なくなってしまう。そのため、バスレフ型のスピーカー装置では、全音域を再生することが困難である。
【０００７】
本発明は、簡易な構造で、音域の広い音、特に重低音を容易かつ確実に再生できるスピーカー装置を提供する。
【課題を解決するための手段】
【０００８】
本発明の一の態様であるスピーカー装置は、開口部を有する筐体と、筐体に設けられたスピーカーユニットと、筐体に設けられたダクトと、を備えている。ダクトは、内部が中空の球欠状又は楕円体球欠状のダクト本体部を有する。ダクト本体部の頂部には、貫通孔が設けられている。
【０００９】
上記スピーカー装置（バスレフ型のスピーカー装置）において、ダクトは、内部が中空の球欠状又は楕円体球欠状のダクト本体部を有する。ダクト本体部の頂部には、貫通孔が設けられている。このような形状のダクトを備えているため、簡易な構造でありながら、従来の筒状のダクトを用いた場合に比べて、音域の広い音、特に重低音を容易かつ確実に再生できる。
【００１０】
これにより、例えば、１つのスピーカーユニットで、音域の広い音を再生できる。すなわち、全ての音域を１つのスピーカーユニットでまかなうフルレンジスピーカー装置を実現できる。よって、従来のように、広い音域の音を再生するために複数のスピーカーユニット（ウーハー、ツイーター等）を備える必要がなくなる。
【００１１】
本発明の他の態様であるスピーカー装置用ダクトは、開口部を有する筐体と、筐体に設けられたスピーカーユニットと、を備えるスピーカー装置に用いられ、筐体に設けられるダクトである。ダクトは、内部が中空の球欠状又は楕円体球欠状のダクト本体部を有する。ダクト本体部の頂部には、貫通孔が設けられている。
【００１２】
上記スピーカー装置用ダクトは、内部が中空の球欠状又は楕円体球欠状のダクト本体部を有する。ダクト本体部の頂部には、貫通孔が設けられている。このような形状のダクトを上記スピーカー装置（バスレフ型のスピーカー装置）に用いることにより、簡易な構造でありながら、従来の筒状のダクトを用いた場合に比べて、音域の広い音、特に重低音を容易かつ確実に再生できる。
【００１３】
上記本発明の態様において、ダクトは、筐体内を区画するように設けられてもよいし、筐体の開口部に設けられてもよい。この場合には、簡易な構造で、音域の広い音、特に重低音をより一層容易かつ確実に再生できる。
【００１４】
また、ダクト本体部は、内部が中空の半球状であってもよい。この場合には、簡易な構造で、音域の広い音、特に重低音をより一層容易かつ確実に再生できる。
【００１５】
本発明のさらに他の態様であるスピーカー装置は、密閉された筐体と、筐体に設けられた少なくとも１つのスピーカーユニットと、筐体内を区画するように設けられた少なくとも１つの区画部と、を備えている。区画部には、少なくとも１つの貫通孔が設けられている。
【００１６】
上記スピーカー装置は、密閉された筐体を備えた密閉型のスピーカー装置であり、筐体内を区画する区画部が設けられている。区画部には、貫通孔が設けられている。このような構成とすることにより、簡易な構造でありながら、従来のスピーカー装置に比べて、音域の広い音、特に重低音を容易かつ確実に再生できる。また、区画部に設けられた貫通孔により、再生される音の解像度を上げることができる。
【００１７】
これにより、１つのスピーカーユニットで、音域の広い音を再生できる。すなわち、全ての音域を１つのスピーカーユニットでまかなうフルレンジスピーカー装置を実現できる。よって、従来のように、広い音域の音を再生するために複数のスピーカーユニット（ウーハー、スコーカー、ツイーター等）を備えたマルチウェイ方式を採用する必要がなくなる。
【００１８】
上記スピーカー装置において、筐体内を２つの空間に区画するように設けられた１つの区画部を備えていてもよい。この場合には、簡易な構造で音域の広い音、特に重低音を容易かつ確実に再生できるという上述の効果をより十分に発揮できる。また、区画部の位置を変えることで筐体内の２つの空間の内容積を調整することができ、重低音の音圧の調整が可能となる。
【００１９】
また、区画部は、内部が中空の球欠状又は楕円体球欠状の本体部を有していてもよい。この場合には、本体部の形状によって、簡易な構造で音域の広い音、特に重低音を容易かつ確実に再生できるという上述の効果をより十分に発揮できる。
【００２０】
また、本体部の頂部には、貫通孔が設けられていてもよい。この場合には、再生される音の解像度をより確実に上げることができる。これにより、簡易な構造で音域の広い音、特に重低音をより一層容易かつ確実に再生できる。
【００２１】
また、区画部は、板状であってもよい。この場合には、簡易な構造で音域の広い音、特に重低音を容易かつ確実に再生できるという上述の効果をより十分に発揮できる。
【００２２】
また、区画部の厚みは、２ｍｍ以上であってもよい。この場合には、区画部の共振を抑制することができる。これにより、音域の広い音、特に重低音をより一層容易かつ確実に再生できる。
【００２３】
また、貫通孔の内径は、７〜１３ｍｍであってもよい。この場合には、再生される音の解像度をより確実に上げることができる。これにより、音域の広い音、特に重低音をより一層容易かつ確実に再生できる。
【図面の簡単な説明】
【００２４】
【図１】第１実施形態のスピーカー装置を示す斜視図である。
【図２】第１実施形態のスピーカー装置を示す断面説明図である。
【図３】第１実施形態のスピーカー装置のダクトを示す斜視図である。
【図４】第１実施形態のスピーカー装置のダクトを示す断面図である。
【図５】第２実施形態のスピーカー装置を示す断面説明図である。
【図６】第２実施形態のスピーカー装置を示す断面説明図である。
【図７】第２実施形態のスピーカー装置を示す断面説明図である。
【図８】第２実施形態のスピーカー装置を示す断面説明図である。
【図９】（Ａ）及び（Ｂ）は第３実施形態のスピーカー装置のダクトの別例を示す断面図である。
【図１０】第４実施形態のスピーカー装置を示す斜視図である。
【図１１】第４実施形態のスピーカー装置を示す断面説明図である。
【図１２】第４実施形態のスピーカー装置の区画部を示す斜視図である。
【図１３】第４実施形態のスピーカー装置の区画部を示す断面図である。
【図１４】第５実施形態のスピーカー装置を示す断面拡大説明図である。
【図１５】第６実施形態のスピーカー装置を示す断面説明図である。
【図１６】第６実施形態のスピーカー装置を示す断面説明図である。
【図１７】第７実施形態のスピーカー装置を示す断面説明図である。
【図１８】第７実施形態のスピーカー装置を示す断面説明図である。
【図１９】第８実施形態のスピーカー装置を示す断面説明図である。
【図２０】第８実施形態のスピーカー装置を示す断面説明図である。
【図２１】第９実施形態のスピーカー装置を示す斜視図である。
【図２２】第９実施形態のスピーカー装置を示す断面説明図である。
【図２３】第１０実施形態のスピーカー装置を示す断面説明図である。
【発明を実施するための形態】
【００２５】
以下、本発明の実施形態を図面と共に説明する。
（第１実施形態）
図１、図２に示すように、本実施形態のバスレフ型のスピーカー装置１は、エンクロージャー（筐体）２と、スピーカーユニット３と、ダクト４とを備えている。なお、以下の説明では、上下等の方向を用いて説明するが、あくまでも説明の便宜上の表現であり、特に限定されるものではない。
【００２６】
エンクロージャー２は、略円筒状を呈している。エンクロージャー２は、円筒状の本体部２１を有する。エンクロージャー２の上端部には、本体部２１の上端部を覆うよう上端側カバー部２２が設けられている。エンクロージャー２の下端部には、本体部２２の下端部側面を覆うように円筒状の下端側カバー部２３が設けられている。
【００２７】
上端側カバー部２２は、本体部２１の上端を覆う円形板状の上面部２２１と、本体部２１の上端部側面を覆う円筒状の側面部２２２とを有する。上面部２２１の中央には、円形状の開口２２３が設けられている。開口２２３には、スピーカーユニット３が取り付けられている。下端側カバー部２３の下端部には、本体部２２の下端面を支持するための円筒状のストッパー２３１が設けられている。
【００２８】
また、エンクロージャー２は、下端を開口する開口部（ポート）２４を有する。エンクロージャー２の下端側カバー部２３の下面には、周方向において等間隔に４つのスパイク２５が取り付けられている。スパイク２５は、円錐状を呈している。バスレフ型のスピーカー装置１の設置面Ａとエンクロージャー２との間には、スパイク２５の高さ分だけ隙間が形成されている。また、隣り合うスパイク２５同志の間にも隙間が形成されている。エンクロージャー２の下端側は、開放された構成となっている。
【００２９】
本実施形態において、エンクロージャー２の材質は、硬質のポリ塩化ビニル（ＰＶＣ）である。エンクロージャー２の材質は、これに限定されるものではなく、例えば、木材、樹脂、金属等の各種材質のものを用いることができる。エンクロージャー２の内容積は、約１２Ｌである。エンクロージャー２の内容積は適宜変更することができる。エンクロージャーの内容積を小さくすれば、エンクロージャー２、さらにはバスレフ型のスピーカー装置１全体の小型化を図ることができる。
【００３０】
スピーカーユニット３は、エンクロージャー２の上端側カバー部２２の開口２２３を閉塞するように上向きに配置されている。スピーカーユニット３の口径は、約８０ｍｍである。スピーカーユニット３は、ケーブル等を介して、アンプやプレーヤーに接続されている。スピーカーユニット３としては、従来公知の各種スピーカーユニットを用いることができる。
【００３１】
図３、図４に示すように、ダクト４は、ダクト本体部４０を有する。本実施形態では、ダクト４は、ダクト本体部４０により構成されている。ダクト本体部４０は、内部が中空である。ダクト本体部４０の形状は、球欠状である。ここで、球欠とは、球を一つの平面で切り取った形状をいう。本実施形態では、ダクト本体部４０は、内部が中空の球体をちょうど半分に切り分けた半球状（半球ドーム形状）である。
【００３２】
ダクト本体部４０の外表面４０１は、凸状の球面により形成されている。ダクト本体部４０の内表面４０２は、凹状の球面により形成されている。ダクト本体部４０の直径Ｒ１は１３０ｍｍであり、高さＨは直径Ｒ１の半分（半径）である６５ｍｍである。ダクト本体部４０の直径Ｒ１や高さＨは適宜変更することができる。
【００３３】
ダクト本体部４０の頂部４１には、１つの貫通孔４２が設けられている。貫通孔４２の内径Ｒ２は９ｍｍである。貫通孔４２の内径Ｒ２は、例えば、８〜１０ｍｍの範囲内とすることができ、８．５〜９．５ｍｍの範囲内であることが好ましい。貫通孔４２の内径Ｒ２は適宜変更することができる。
【００３４】
本実施形態において、ダクト本体部４０の材質は、ポリプロピレン（ＰＰ）である。ダクト本体部４０の材質は、これに限定されるものではなく、例えば、木材、樹脂、金属等の各種材質のものを用いることができる。ダクト本体部４０の厚みは一定で、２ｍｍである。ダクト本体部４０の厚みは適宜変更することができる。ダクト本体部４０の厚みは一定である必要はなく、適宜部分的に厚みを変更してもよい。
【００３５】
図２に示すように、ダクト４は、エンクロージャー２内に設けられている。本実施形態において、エンクロージャー２内には、２つのダクト４が配置されている。２つのダクト４は、エンクロージャー２内に形成された内部空間２０を３つに区画するように、上下方向に間隔を設けて配置されている。
【００３６】
２つのダクト４は、エンクロージャー２の内部空間２０におけるスピーカーユニット３と開口部２４との間に配置されている。２つのダクト４は、いずれもダクト本体部４０の頂部４１側（凸側）を上に（スピーカーユニット３の方向に）向けた状態、すなわちエンクロージャー２の開口部２４とは反対側に向けた状態で配置されている。
【００３７】
ダクト４の下端縁部には、ダクト４をエンクロージャー２の内壁面２０１に固定するための円環板状の固定片部４３が取り付けられている。上側のダクト４は、固定片部４３をエンクロージャー２の内壁面２０１に設けられた上下２つの円筒状の固定部材２６で挟持するようにして固定されている。下側のダクト４は、固定片部４３をエンクロージャー２の内壁面２０１に設けられた円筒状の固定部材２６に取り付けて固定されている。
【００３８】
次に、本実施形態のスピーカー装置１における作用効果について説明する。
本実施形態のバスレフ型のスピーカー装置１によれば、ダクト４は、内部が中空の球欠状（本実施形態では半球状）のダクト本体部４０を有する。ダクト本体部４０の頂部４１には、貫通孔４２が設けられている。このような形状のダクト４を備えているため、簡易な構造でありながら、従来の筒状のダクトを用いた場合に比べて、音域の広い音、特に重低音を容易かつ確実に再生できる。
【００３９】
これにより、例えば、本実施形態のように１つのスピーカーユニット３で、音域の広い音を再生できる。すなわち、本実施形態のバスレフ型のスピーカー装置１は、全ての音域を１つのスピーカーユニット３でまかなうフルレンジスピーカー装置を実現できる。よって、従来のように、広い音域の音を再生するために複数のスピーカーユニットを備える必要がなくなる。すなわち、ウーハー、ツイーター等が必要なくなる。また、スピーカーユニット３が１つで、その口径も８０ｍｍと非常に小さいため、バスレフ型のスピーカー装置１全体の小型化を図ることができる。
【００４０】
また、ダクト４は、エンクロージャー２内を区画するように設けられている。そのため、簡易な構造で、音域の広い音、特に重低音をより一層容易かつ確実に再生できる。
また、ダクト本体部４０は、内部が中空の半球状である。そのため、簡易な構造で、音域の広い音、特に重低音をより一層容易かつ確実に再生できる。
【００４１】
また、スピーカーユニット３は、エンクロージャー２の上端側カバー部２２の開口２２３を閉塞するように上向きに配置されている。すなわち、スピーカーユニット３は、上向きに音が出るように配置されている。そのため、室内で音を再生した場合に、間接音を聴くような環境を容易に作り出すことができる。
【００４２】
（第２実施形態）
本実施形態は、図５〜図８に示すように、バスレフ型のスピーカー装置１において、エンクロージャー２の形状、ダクト４の数や配置を変更した例である。なお、第１実施形態と同様の構成及び作用効果については説明を省略する。
【００４３】
図５のバスレフ型のスピーカー装置１は、略直方体状のエンクロージャー２を備えている。エンクロージャー２は、前面部２７１、後面部２７２、左側面部（図示省略）、右側面部（図示省略）及び上面部２７３を有する。スピーカーユニット３は、エンクロージャー２の前面部２７１に設けられた開口２７４を閉塞するように前向きに配置されている。
【００４４】
２つのダクト４は、エンクロージャー２の内部空間２０を３つに区画するように、上下方向に間隔を設けて配置されている。２つのダクト４は、エンクロージャー２の内部空間２０におけるスピーカーユニット３と開口部２４との間に配置されている。
【００４５】
２つのダクト４は、いずれもダクト本体部４０の頂部４１側（凸側）を上に向けた状態、すなわちエンクロージャー２の開口部２４とは反対側に向けた状態で配置されている。２つのダクト４は、いずれも固定片部４３を介してエンクロージャー２の内壁面２０１の固定部材２６に固定されている。
【００４６】
図６のバスレフ型のスピーカー装置１は、図５と同様のエンクロージャー２を備えている。エンクロージャー２内には、１つのダクト４が配置されている。ダクト４は、エンクロージャー２の開口部２４に設けられている。
【００４７】
ダクト４は、ダクト本体部４０の頂部４１側（凸側）を上に向けた状態、すなわちエンクロージャー２の開口部２４とは反対側に向けた状態で配置されている。ダクト４は、固定片部４３を介してエンクロージャー２の内壁面２０１の固定部材２６に固定されている。
【００４８】
図７のバスレフ型のスピーカー装置１は、図５と同様のエンクロージャー２を備えている。エンクロージャー２内には、２つのダクト４が配置されている。２つのダクト４は、上下方向に間隔を設けて配置されている。
【００４９】
上側のダクト４は、エンクロージャー２の内部空間２０を２つに区画するように配置されている。上側のダクト４は、エンクロージャー２の内部空間２０におけるスピーカーユニット３と開口部２４との間に配置されている。下側のダクト４は、エンクロージャー２の開口部２４に設けられている。
【００５０】
２つのダクト４は、いずれもダクト本体部４０の頂部４１側（凸側）を上に向けた状態、すなわちエンクロージャー２の開口部２４とは反対側に向けた状態で配置されている。２つのダクト４は、いずれも固定片部４３を介してエンクロージャー２の内壁面２０１の固定部材２６に固定されている。
【００５１】
図８のバスレフ型のスピーカー装置１は、略直方体状のエンクロージャー２を備えている。エンクロージャー２は、前面部２７１、後面部２７２、左側面部（図示省略）、右側面部（図示省略）、上面部２７３及び下面部２７５を有する。エンクロージャー２の後面部２７２には、開口部２４が設けられている。
【００５２】
エンクロージャー２内には、１つのダクト４が配置されている。ダクト４は、エンクロージャー２の開口部２４に設けられている。ダクト４は、ダクト本体部４０の頂部４１側（凸側）を前に向けた状態で、すなわちエンクロージャー２の開口部２４とは反対側に向けた状態で配置されている。
【００５３】
（第３実施形態）
本実施形態は、図９（Ａ）、（Ｂ）に示すように、バスレフ型のスピーカー装置１において、ダクト４（ダクト本体部４０）の形状を変更した例である。なお、第１実施形態と同様の構成及び作用効果については説明を省略する。
【００５４】
図９（Ａ）、（Ｂ）に示すように、ダクト４のダクト本体部４０は、内部が中空である。ダクト本体部４０の形状は、楕円体球欠状である。ここで、楕円体球欠状とは、楕円体を一つの平面で切り取った形状をいう。本実施形態では、ダクト本体部４０は、内部が中空の回転楕円体をちょうど半分に切り分けた半楕円体状（半楕円体ドーム形状）である。
【００５５】
ダクト本体部４０の外表面４０１は、凸状の楕円面により形成されている。ダクト本体部４０の内表面４０２は、凹状の楕円面により形成されている。ダクト本体部４０の頂部４１には、１つの貫通孔４２が設けられている。
【００５６】
図９（Ａ）のダクト本体部４０は、回転楕円体をその長軸に垂直な平面で半分に切り取った形状である。ダクト本体部４０の高さは長軸の半分（長軸半径）である。図９（Ｂ）のダクト本体部４０は、回転楕円体をその短軸に垂直な平面で切り取った形状である。ダクト本体部４０の高さは短軸の半分（短軸半径）である。
【００５７】
（第４実施形態）
図１０、図１１に示すように、本実施形態の密閉型のスピーカー装置５は、エンクロージャー（筐体）６と、１つのスピーカーユニット７と、１つの区画部８とを備えている。なお、以下の説明では、前後左右上下等の方向を用いて説明するが、あくまでも説明の便宜上の表現であり、特に限定されるものではない。
【００５８】
エンクロージャー６は、略立方体形状である。エンクロージャー６は、正方形状の前面部６１、後面部６２、左面部６３、右面部６４、上面部６５、及び下面部６６を有する。前面部６１の中央部には、円形状の開口部６１１が設けられている。前面部６１の開口部６１１には、スピーカーユニット７が取り付けられている。エンクロージャー６は、密閉された（閉じられた）内部空間６０を有する。
【００５９】
本実施形態において、エンクロージャー６の材質は、比較的堅い木材のブビンガである。エンクロージャー６に用いられる材料は、これに限定されるものではなく、例えば、木材、中密度繊維板（ＭＤＦ：Ｍｅｄｉｕｍ  Ｄｅｎｓｉｔｙ  Ｆｉｂｅｒｂｏａｒｄ）、樹脂、金属等の各種材料を用いることができる。
【００６０】
また、エンクロージャー６の内容積は、約２Ｌである。エンクロージャー６の内容積は適宜変更することができる。エンクロージャー６の内容積を小さくすれば、エンクロージャー６、さらには密閉型のスピーカー装置５全体の小型化を図ることができる。
【００６１】
スピーカーユニット７は、前面部６１の開口部６１１を閉塞するように前向きに配置されている。スピーカーユニット７は、電気信号を振動に変換して音を出す方式の従来公知のスピーカーユニットであり、振動板等を備えている。スピーカーユニット７は、ケーブル等を介して、アンプやプレーヤーに接続されている。
【００６２】
本実施形態において、スピーカーユニット７は、口径が８０ｍｍのコーン型スピーカーである。スピーカーユニット７としては、コーン型スピーカー以外にも、例えばドーム型スピーカー、ホーン型スピーカー等の各種スピーカーユニットを用いることができる。また、スピーカーユニット７の口径は適宜変更することができる。
【００６３】
スピーカーユニット７は、円環板状のリング７１によって前面部６１に固定されている。具体的には、スピーカーユニット７のフランジ部７２は、前面部６１とリング７１との間に挟持されている。リング７１は、前面部６１に対して、ネジ等の締結部材（図示略）を用いて複数箇所で固定されている。スピーカーユニット７をリング７１によって抑えることにより、スピーカーユニット７のねじれ等を抑制し、振動板の安定した作動を確保することができる。
【００６４】
区画部８は、エンクロージャー６内に設けられている。本実施形態において、エンクロージャー６内には、１つの区画部８が配置されている。区画部８は、１つの部材で構成されている。区画部８は、複数の部材で構成されていてもよい。
【００６５】
図１２、図１３に示すように、区画部８は、平板状に形成されている。区画部８の厚みは一定であり、２ｍｍである。区画部８の厚みは適宜変更することができるが、共振を抑制するために２ｍｍ以上であることが好ましい。区画部８の厚みは一定である必要はなく、適宜部分的に厚みを変更してもよい。
【００６６】
区画部８の中央部には、１つの貫通孔８２が設けられている。貫通孔８２は、区画部８を厚み方向に貫通して形成されている。貫通孔８２の内径Ｒ３は、区画部８の厚み方向に一定であり、９ｍｍである。貫通孔８２の内径は、例えば、７〜１３ｍｍの範囲内とすることができ、８．５〜９．５ｍｍの範囲内であることが好ましい。貫通孔８２の内径は適宜変更することができる。
【００６７】
本実施形態において、区画部８の材質は、ステンレスである。区画部８に用いられる材料は、これに限定されるものではなく、例えば、木材、樹脂、金属等の各種材料を用いることができる。また、制振作用の高い材料を用いてもよい。
【００６８】
図１１に示すように、区画部８は、エンクロージャー６内に形成された内部空間６０を２つの空間に区画するように配置されている。エンクロージャー６内には、スピーカーユニット７が設けられている側（前方側）の第１内部空間９１と、スピーカーユニット７が設けられていない側（後方側）の第２内部空間９２とが形成されている。第１内部空間９１と第２内部空間９２とは、区画部８の貫通孔８２を介して連通している。
【００６９】
区画部８は、前面部６１及び後面部６２に対して平行となる向きに配置されている。区画部８は、前後方向において、前面部６１及び後面部６２と対向している。区画部８は、前後方向において、スピーカーユニット７と対向している。なお、区画部８は、前面部６１及び後面部６２に対して斜めに傾斜した向きに配置されていてもよい。
【００７０】
区画部８は、エンクロージャー６内における前後方向の中間位置よりも少し後方側に配置されている。第１内部空間９１の内容積は、第２内部空間９２の内容積よりも大きい。なお、区画部８は、エンクロージャー６内における前後方向の位置を適宜変更してもよい。例えば、第１内部空間９１の内容積と第２内部空間９２の内容積とが同じとなる位置や、第１内部空間９１の内容積が第２内部空間９２の内容積よりも小さくなる位置としてもよい。
【００７１】
本実施形態において、第１内部空間９１には、スピーカーユニット７の一部が設けられているが、それ以外の部材は設けられていない。第１内部空間９１は、そのほとんどが空隙で構成されている。また、第２内部空間９２には、何も部材が設けられていない。第２内部空間９２は、そのすべてが空隙で構成されている。また、エンクロージャー６の内壁面に吸音材等も設けられていない。
【００７２】
次に、本実施形態のスピーカー装置５における作用効果について説明する。
本実施形態のスピーカー装置５は、密閉されたエンクロージャー６を備えた密閉型のスピーカー装置であり、エンクロージャー６内を区画する区画部８が設けられている。区画部８には、貫通孔８２が設けられている。このような構成とすることにより、簡易な構造でありながら、従来のスピーカー装置に比べて、音域の広い音、特に重低音を容易かつ確実に再生できる。また、区画部８に設けられた貫通孔８２により、再生される音の解像度を上げることができる。
【００７３】
これにより、スピーカー装置５は、本実施形態のように、１つのスピーカーユニット７で、音域の広い音を再生できる。すなわち、全ての音域を１つのスピーカーユニット７でまかなうフルレンジスピーカー装置を実現できる。よって、従来のように、広い音域の音を再生するために複数のスピーカーユニット（ウーハー、スコーカー、ツイーター等）を備えたマルチウェイ方式を採用する必要がなくなる。
【００７４】
また、スピーカー装置５において、エンクロージャー６内を２つの空間（第１内部空間９１、第２内部空間９２）に区画するように設けられた１つの区画部８を備えている。そのため、簡易な構造で音域の広い音、特に重低音を容易かつ確実に再生できるという上述の効果をより十分に発揮できる。また、区画部８の位置を変えることでエンクロージャー６内の２つの空間（第１内部空間９１、第２内部空間９２）の内容積を調整することができ、重低音の音圧の調整が可能となる。例えば、第１内部空間９１の内容積を第２内部空間９１の内容積よりも小さくすれば、重低音の音圧を上げることができる。逆に第２内部空間９２の内容積を第１内部空間９１の内容積よりも小さくすれば、重低音の音圧を下げることができる。これは重低音の好みによって調整すればよい。
【００７５】
また、区画部８は、板状である。これにより、簡易な構造で音域の広い音、特に重低音を容易かつ確実に再生できるという上述の効果をより十分に発揮できる。
【００７６】
また、区画部８の厚みは、２ｍｍ以上である。そのため、区画部８の共振を抑制することができる。これにより、音域の広い音、特に重低音をより一層容易かつ確実に再生できる。
【００７７】
また、貫通孔８２の内径は、７〜１３ｍｍである。そのため、再生される音の解像度をより確実に上げることができる。これにより、音域の広い音、特に重低音をより一層容易かつ確実に再生できる。
【００７８】
なお、本実施形態のスピーカー装置５によって得られる効果については、推測の域を出ないが、次のように考えられる。エンクロージャー６内の閉じられた２つの空間を隔てる区画部８に設けた貫通孔８２により、スピーカーユニット７によって第１内部空間９１で圧縮された空気が区画部８の貫通孔８２から第２内部空間９２の空気を圧縮する。次にその逆のことが起こり、２つの空間は圧縮減圧を繰り返しながら、ヘルムホルツ共鳴を作動させる。これにより、簡易な構造で音域の広い音、特に重低音を容易かつ確実に再生できるという効果を発揮できる。一般的に、ヘルムホルツ共鳴器の共振周波数（固有振動数）は、容器の内容積と開口部の面積等によって決まるため、容積が小さいほどヘルムホルツ共鳴の効果が増大する。これは、低音域の音圧の拡大という効果を生む。
【００７９】
（第５実施形態）
本実施形態は、図１４に示すように、密閉型のスピーカー装置５において、区画部８の貫通孔８２の形状を変更した例である。なお、第４実施形態と同様の構成及び作用効果については説明を省略する。
【００８０】
図１４に示すように、区画部８の貫通孔８２の内径は、第１内部空間９１側から第２内部空間９２側に向かって徐々に小さくなっている。すなわち、貫通孔８２の内面は、貫通孔８２の内径が第１内部空間９１側から第２内部空間９２側に向かって徐々に小さくなるように傾斜している。
【００８１】
本実施形態の密閉型のスピーカー装置５によれば、貫通孔８２を介した第１内部空間９１から第２内部空間９２への空気の流れが円滑となり、空気の脈流を抑制できる。そのため、音域の広い音、特に重低音を容易かつ確実に再生するという効果をより一層発揮することができる。
【００８２】
（第６実施形態）
本実施形態は、図１５、図１６に示すように、密閉型のスピーカー装置５において、区画部８の形状を変更した例である。なお、第４実施形態と同様の構成及び作用効果については説明を省略する。
【００８３】
図１５に示すように、区画部８は、湾曲した形状である。区画部８は、第１内部空間９１側に凸状に湾曲している。区画部８の一方の面８０１は、凸状の曲面により形成されている。区画部８の他方の面８０２は、凹状の曲面により形成されている。
【００８４】
図１６に示すように、区画部８は、湾曲した形状である。区画部８は、第２内部空間９２側に凸状に湾曲している。区画部８の一方の面８０１は、凹状の曲面により形成されている。区画部８の他方の面８０２は、凸状の曲面により形成されている。
【００８５】
（第７実施形態）
本実施形態は、図１７、図１８に示すように、密閉型のスピーカー装置５において、区画部８の形状を変更した例である。なお、第４実施形態と同様の構成及び作用効果については説明を省略する。
【００８６】
図１７、図１８に示すように、区画部８は、本体部８０を有する。本実施形態では、区画部８は、本体部８０により構成されている。本体部８０は、内部が中空である。本体部８０の形状は、球欠状である。本実施形態では、本体部８０は、内部が中空の球体をちょうど半分に切り分けた半球状（半球ドーム形状）である。区画部８（本体部８０）は、図３、図４に示したダクト４（本体部４０）と同様の形状である。
【００８７】
本体部８０の外表面８０３は、凸状の球面により形成されている。本体部８０の内表面８０４は、凹状の球面により形成されている。本体部８０の頂部８１には、１つの貫通孔８２が設けられている。本体部８０の直径（図４の直径Ｒ１参照）は１００ｍｍであり、高さ（図４の高さＨ参照）は直径の半分（半径）である５０ｍｍである。貫通孔８２の内径（図４の内径Ｒ２参照）は９ｍｍである。本体部８０の直径や高さ、貫通孔８２の内径は適宜変更することができる。
【００８８】
図１７においては、区画部８は、後面部６２に設けられている。区画部８は、本体部８０の頂部８１（凸側）を前面部６１側（スピーカーユニット７側）に向けた状態で配置されている。区画部８は、後面部６２との間に第２内部空間９２が形成されるように配置されている。すなわち、後面部６２と区画部８とにより、第２内部空間９２が形成されている。
【００８９】
図１８においては、区画部８は、前面部６１に設けられている。区画部８は、本体部８０の頂部８１（凸側）を後面部６２側（スピーカーユニット７とは反対側）に向けた状態で配置されている。区画部８は、前面部６１との間に第１内部空間９１が形成されるように配置されている。すなわち、前面部６１と区画部８とにより、第１内部空間９１が形成されている。区画部８は、スピーカーユニット７の裏側（背面側）を覆うように配置されている。
【００９０】
本実施形態のスピーカー装置５において、区画部８は、内部が中空の球欠状の本体部８０を有する。このような形状の区画部８を備えているため、簡易な構造で音域の広い音、特に重低音を容易かつ確実に再生できるという上述の効果をより十分に発揮できる。
【００９１】
また、区画部８の本体部８０の頂部８１には、貫通孔８２が設けられている。そのため、再生される音の解像度をより確実に上げることができる。これにより、音域の広い音、特に重低音をより一層容易かつ確実に再生できる。
【００９２】
また、図１８に示すように、球欠状の本体部８０を有する区画部８を、スピーカーユニット７の裏側（背面側）を覆うように配置することにより、エンクロージャー６内における第２内部空間９２の内容積を第１内部空間９１の内容積よりも大きく設定することが容易となり、重低音の音圧を上げることができる。これにより、簡易な構造でありながら、音域の広い音、特に重低音をより一層容易かつ確実に再生できる。
【００９３】
なお、区画部８の本体部８０の形状は、図９（Ａ）、（Ｂ）に示したダクト４（本体部４０）と同様に、内部が中空の楕円体球欠状であってもよい。この場合においても、簡易な構造で音域の広い音、特に重低音を容易かつ確実に再生できるという上述の効果をより十分に発揮できる。
【００９４】
（第８実施形態）
本実施形態は、図１９、図２０に示すように、密閉型のスピーカー装置５において、エンクロージャー６の形状、スピーカーユニット７と区画部８との位置関係を変更した例である。なお、第４実施形態と同様の構成及び作用効果については説明を省略する。
【００９５】
図１９、図２０に示すように、エンクロージャー６は、略直方体形状である。エンクロージャー６は、長方形状の前面部６１、後面部６２、左面部６３及び右面部６４、正方形状の上面部６５及び下面部６６を有する。前面部６１の上側には、円形状の開口部６１１が設けられている。前面部６１の開口部６１１には、スピーカーユニット７が取り付けられている。
【００９６】
スピーカーユニット７は、前面部６１の開口部６１１を閉塞するように前向きに配置されている。区画部８は、エンクロージャー６内に形成された内部空間６０を上下に２つの空間（第１内部空間９１、第２内部空間９２）に区画するように配置されている。
【００９７】
図１９においては、区画部８は、上面部６５及び下面部６６に対して平行となる向きに配置されている。区画部８は、上下方向において、上面部６５及び下面部６６と対向している。区画部８は、エンクロージャー６における上下方向の中間位置よりも少し下方側に配置されている。
【００９８】
図２０においては、区画部８は、上面部６５及び下面部６６に対して斜めに傾斜した向きに配置されている。区画部８は、エンクロージャー６における上下方向の中間位置よりも少し上方側に配置されている。
【００９９】
（第９実施形態）
本実施形態は、図２１、図２２に示すように、密閉型のスピーカー装置５において、エンクロージャー６の形状を変更した例である。なお、第４実施形態と同様の構成及び作用効果については説明を省略する。
【０１００】
図２１、図２２に示すように、エンクロージャー６は、略円筒形状である。エンクロージャー６は、円筒状の側面部６７、円形状の上面部６８及び下面部６９を有する。上面部６８は、側面部６７の上端を閉塞するように配置されている。下面部６９は、側面部６７の下端を閉塞するように配置されている。
【０１０１】
上面部６８の中央部には、円形状の開口部６８１が設けられている。上面部６８の開口部６８１には、スピーカーユニット７が取り付けられている。スピーカーユニット７は、上面部６８の開口部６８１を閉塞するように上向きに配置されている。
【０１０２】
区画部８は、平板状であり、エンクロージャー６内に形成された内部空間６０を上下に２つの空間（第１内部空間９１、第２内部空間９２）に区画するように配置されている。区画部８は、上面部６８及び下面部６９に対して平行となる向きに配置されている。区画部８は、上下方向において、上面部６８及び下面部６９と対向している。区画部８は、上下方向において、スピーカーユニット７と対向している。区画部８は、エンクロージャー６における上下方向の中間位置よりも少し下方側に配置されている。
【０１０３】
本実施形態のスピーカー装置によれば、スピーカーユニット７は上向きに配置されている。すなわち、スピーカーユニット７は、上向きに音が出るように配置されている。そのため、室内で音を再生した場合に、間接音を聴くような環境を容易に作り出すことができる。
【０１０４】
（第１０実施形態）
本実施形態は、図２３に示すように、密閉型のスピーカー装置５において、区画部８の形状を変更した例である。なお、第４〜第９実施形態と同様の構成及び作用効果については説明を省略する。
【０１０５】
図２３に示すように、本実施形態の密閉型のスピーカー装置５は、密閉された内部空間６０を有するエンクロージャー（筐体）６と、スピーカーユニット７と、区画部８とを備えている。なお、以下の説明では、上下等の方向を用いて説明するが、あくまでも説明の便宜上の表現であり、特に限定されるものではない。
【０１０６】
エンクロージャー６は、略円筒状を呈している。エンクロージャー６は、円筒状の側面部６０２を有する。側面部６０２の上端は、２つの上端側カバー６０３、６０４とスピーカーユニット７とにより閉塞されている。側面部６０２の下端は、円形板状の下端側カバー６０５により閉塞されている。
【０１０７】
２つの上端側カバー６０３、６０４は、それぞれ中央に開口６０６、６０７を有して円環板状に形成されている。２つの上端側カバー６０３、６０４の開口６０６、６０７には、スピーカーユニット７が配置されている。スピーカーユニット７は、２つの上端側カバー６０３、６０４により上下に挟持された状態で、上向きに配置されている。
【０１０８】
本実施形態において、エンクロージャー６の材質は、硬質のポリ塩化ビニル（ＰＶＣ）である。エンクロージャー６の材質は、これに限定されるものではなく、例えば、木材、樹脂、金属等の各種材質のものを用いることができる。エンクロージャー６の内容積は適宜変更することができる。エンクロージャーの内容積を小さくすれば、エンクロージャー６、さらには密閉型のスピーカー装置５全体の小型化を図ることができる。
【０１０９】
区画部８は、エンクロージャー６内に設けられている。区画部８は、第７実施形態の図１７、図１８に示した区画部８と同様の形状である。区画部８は、エンクロージャー６内に形成された内部空間６０を２つの空間（第１内部空間９１、第２内部空間９２）に区画するように配置されている。区画部８は、本体部８０の頂部８１側（凸側）を上に（スピーカーユニット７の方向に）向けた状態で配置されている。
【０１１０】
区画部８の下端縁部には、区画部８をエンクロージャー６の内壁面６０１に固定するための円環板状の固定片部８３が取り付けられている。区画部８は、固定片部８３を介してエンクロージャー６の側面部６０２の内壁面６０１に固定されている。
【０１１１】
次に、本実施形態の密閉型のスピーカー装置５における作用効果について説明する。
本実施形態の密閉型のスピーカー装置５によれば、区画部８は、内部が中空の球欠状（本実施形態では半球状）の本体部８０を有する。本体部８０の頂部８１には、貫通孔８２が設けられている。このような形状の区画部８を備えているため、簡易な構造でありながら、音域の広い音、特に重低音を容易かつ確実に再生できる。
【０１１２】
これにより、例えば、本実施形態のように１つのスピーカーユニット７で、音域の広い音を再生できる。すなわち、本実施形態の密閉型のスピーカー装置５は、全ての音域を１つのスピーカーユニット７でまかなうフルレンジスピーカー装置を実現できる。よって、従来のように、広い音域の音を再生するために複数のスピーカーユニットを備える必要がなくなる。すなわち、ウーハー、ツイーター等が必要なくなる。また、スピーカーユニット７が１つであることから、密閉型のスピーカー装置５全体の小型化を図ることができる。
【０１１３】
また、区画部８は、エンクロージャー６内を区画するように設けられている。そのため、簡易な構造で、音域の広い音、特に重低音をより一層容易かつ確実に再生できる。
また、本体部８０は、内部が中空の半球状である。そのため、簡易な構造で、音域の広い音、特に重低音をより一層容易かつ確実に再生できる。
【０１１４】
また、スピーカーユニット７は、エンクロージャー６の２つの上端側カバー部６０３、６０４により上向きに配置されている。すなわち、スピーカーユニット７は、上向きに音が出るように配置されている。そのため、室内で音を再生した場合に、間接音を聴くような環境を容易に作り出すことができる。
【０１１５】
（その他の実施形態）
本発明は、上記実施形態に何ら限定されるものではなく、本発明を逸脱しない範囲において種々の態様で実施しうることはいうまでもない。
【０１１６】
（１）上記第１実施形態において、エンクロージャー２内には、２つのダクト４がエンクロージャー２内に形成された内部空間２０を３つに区画するように、上下方向に間隔を設けて配置されているが、ダクト４の数や位置は適宜変更することができる。
【０１１７】
例えば、上記第２実施形態における図６のように、１つのダクトをエンクロージャー２の開口部２４に設ける構成としてもよい。また、図７のように、上側のダクト４をエンクロージャー２の内部空間２０を区画するように配置し、下側のダクト４をエンクロージャー２の開口部２４に設ける構成としてもよい。
【０１１８】
（２）上記第１〜第３実施形態において、エンクロージャー（筐体）２の形状は、略円筒状や略直方体状としたが、これらに限定されるものではなく、内部空間２０を有する各種形状を採用することができる。
【０１１９】
（３）上記第１〜第３実施形態において、エンクロージャー（筐体）２の開口部２４をエンクロージャー２の下端や後面部２７２に設けたが、開口部２４の位置はこれらに限定されるものではなく、適宜変更することができる。
【０１２０】
（４）上記第１〜第３実施形態において、ダクト４は、筐体２内を区画するように設けられている又は筐体２の開口部２４に設けられている。ダクト４が複数の場合には、各ダクト４が、筐体２内を区画するように設けられている又は筐体２の開口部２４に設けられている。
【０１２１】
（５）上記第４〜第９実施形態において、エンクロージャー（筐体）６の形状は、略立方体形状、略直方体形状、略円筒形状としたが、これに限定されるものではなく、密閉された内部空間６０を有する各種形状を採用することができる。
【０１２２】
（６）上記第１〜第９実施形態において、スピーカーユニット３（７）の数は１つであるが、これに限定されるものではない。なお、上述したように、全ての音域を１つのスピーカーユニットでまかなうフルレンジスピーカー装置を実現しようとすれば、スピーカーユニット３（７）の数は１つであることが好ましい。
【０１２３】
（７）上記第１〜第３実施形態において、ダクト４の数は１つ又は２つであるが、これに限定されるものではなく、例えば、ダクト４の数を３つ以上としてもよい。ただし、ダクト４の数が増えるとそれだけ構造が複雑となるため、なるべく少ない数で構成することが好ましい。
【０１２４】
（８）上記第１〜第３実施形態において、ダクト４は、内部が中空の球欠状又は楕円体球欠状のダクト本体部４０を有する。ダクト４が複数の場合には、各ダクト４が、内部が中空の球欠状又は楕円体球欠状のダクト本体部４０を有する。例えば、ダクト４が２つの場合には、一方のダクト４が、内部が中空の球欠状のダクト本体部４０を有し、他方のダクト４が、楕円体球欠状のダクト本体部４０を有する構成としてもよい。
【０１２５】
（９）上記第１〜第３実施形態において、ダクト本体部４０の形状は、内部が中空の半球状（半球ドーム形状）や半楕円体状（半楕円体ドーム形状）であるが、球欠状又は楕円体球欠状であればこれらに限定されるものではない。例えば、ダクト本体部４０の高さがダクト本体部４０の半径よりも長い又は短い球欠状であってもよい。また、ダクト本体部４０の高さがダクト本体部４０の高さ方向の軸の半分（半軸）よりも長い又は短い楕円体球欠状であってもよい。
【０１２６】
（１０）上記第４〜第９実施形態において、区画部８の数は１つであるが、これに限定されるものではなく、例えば、区画部８の数を２つ以上としてもよい。ただし、区画部８の数が増えるとそれだけ構造が複雑となるため、なるべく少ない数で構成することが好ましい。
【０１２７】
（１１）上記第４〜第１０実施形態において、区画部８は、平板状、曲面を有する板状、内部が中空の球欠状又は楕円体球欠状の本体部８０を有する形状である。区画部８の形状は、エンクロージャー（筐体）６内を区画することができれば、他の形状であってもよい。
【０１２８】
（１２）上記第７、第１０実施形態において、区画部８は、内部が中空の球欠状又は楕円体球欠状の本体部８０を有する。区画部８が複数の場合には、各区画部８が、内部が中空の球欠状又は楕円体球欠状の本体部８０を有する。例えば、区画部８が２つの場合には、一方の区画部８が、内部が中空の球欠状の本体部８０を有し、他方の区画部８が、楕円体球欠状の本体部８０を有する構成としてもよい。
【０１２９】
（１３）上記第７、第１０実施形態において、本体部８０の形状は、内部が中空の半球状（半球ドーム形状）や半楕円体状（半楕円体ドーム形状）であるが、球欠状又は楕円体球欠状であればこれらに限定されるものではない。例えば、本体部８０の高さが本体部８０の半径よりも長い又は短い球欠状であってもよい。また、本体部８０の高さが本体部８０の高さ方向の軸の半分（半軸）よりも長い又は短い楕円体球欠状であってもよい。
【０１３０】
（１４）上記実施形態における１つの構成要素が有する機能を複数の構成要素として分散させたり、複数の構成要素が有する機能を１つの構成要素に統合したりしてもよい。また、上記実施形態の構成の一部を省略してもよい。また、上記実施形態の構成の少なくとも一部を、他の上記実施形態の構成に対して付加、置換等してもよい。なお、特許請求の範囲に記載の文言から特定される技術思想に含まれるあらゆる態様が本発明の実施形態である。
【符号の説明】
【０１３１】
１…スピーカー装置、２…エンクロージャー（筐体）、３…スピーカーユニット、４…ダクト、５…スピーカー装置、６…エンクロージャー（筐体）、７…スピーカーユニット、８…区画部、２４…開口部、４０…ダクト本体部、４１…頂部、４２…貫通孔、８０…本体部、８１…頂部、８２…貫通孔
【図１】
2019103124.tif 000003
【図２】
2019103124.tif 000004
【図３】
2019103124.tif 000005
【図４】
2019103124.tif 000006
【図５】
2019103124.tif 000007
【図６】
2019103124.tif 000008
【図７】
2019103124.tif 000009
【図８】
2019103124.tif 000010
【図９】
2019103124.tif 000011
【図１０】
2019103124.tif 000012
【図１１】
2019103124.tif 000013
【図１２】
2019103124.tif 000014
【図１３】
2019103124.tif 000015
【図１４】
2019103124.tif 000016
【図１５】
2019103124.tif 000017
【図１６】
2019103124.tif 000018
【図１７】
2019103124.tif 000019
【図１８】
2019103124.tif 000020
【図１９】
2019103124.tif 000021
【図２０】
2019103124.tif 000022
【図２１】
2019103124.tif 000023
【図２２】
2019103124.tif 000024
【図２３】
2019103124.tif 000025